(57)【特許請求の範囲】
【請求項１】
第１基板を収容する筐体と、前記筐体の開口部に挿入する第２基板と、を備える計測機器であって、
前記筐体と前記第２基板とは、前記第１基板と前記第２基板とが接続していない状態で、前記第２基板が前記筐体に対して移動可能に連結されており、
前記第２基板は、前記筐体に対して、前記筐体の開口面と平行な面上で移動可能であるとともに、前記筐体の前記開口部への挿入に伴い、コネクタにより前記第１基板に接続される計測機器。
【請求項２】
第１基板を収容する筐体と、前記筐体の開口部に挿入する第２基板と、前記筐体とねじ結合して前記筐体の前記開口部を塞ぐ蓋体と、を備える計測機器であって、
前記筐体と前記第２基板とは、前記第１基板と前記第２基板とが接続していない状態で、前記第２基板が前記筐体に対して移動可能に連結されており、
前記第２基板は、前記筐体の前記開口部への挿入に伴い、コネクタにより前記第１基板に接続される計測機器。
【請求項３】
前記第２基板は、前記筐体との連結点を中心に回転自在である請求項１に記載の計測機器。
【請求項４】
前記筐体とねじ結合して前記筐体の前記開口部を塞ぐ蓋体を備える請求項１または３に記載の計測機器。
【発明の詳細な説明】
【技術分野】
【０００１】
本発明は、第１基板を収容する筐体と、筐体の開口部に挿入する第２基板と、を備える計測機器に関する。
【背景技術】
【０００２】
この種の計測機器としては、例えば工場などの建物に設置する場合、その設置作業において、筐体内部の第１基板に建物からの電源ケーブルを接続したあと、計測結果を表示可能な表示機能を有する第２基板を筐体の開口部に挿入して、コネクタにより第１基板と第２基板とを接続し、最後に開口部を蓋体でふさぐものがある（非特許文献１）。
【０００３】
しかし、設置作業は、建物の天井など高所で行われるのが通常で、作業性が容易ではない。しかも、第１基板への電源ケーブルの接続作業では、第２基板や蓋体などを筐体から一度取り外す必要があり、取り外した第２基板や蓋体が作業の邪魔となり、作業がより困難なものとなる。また、第２基板の取り扱いを丁寧にする必要があり、このことも作業の負担となる。
【０００４】
また、第１基板と第２基板とをケーブルにより接続し、第１基板への電源ケーブルの接続作業中において、第２基板をケーブルでぶら下げた状態とすれば、第２基板は接続作業の邪魔とならないが、第２基板をぶら下げた状態とすることによりケーブルが傷んでしまう問題がある。
【先行技術文献】
【非特許文献】
【０００５】
【非特許文献１】Ｈｏｎｅｙｗｅｌｌ  Ａｎａｌｙｔｉｃｓ、Ｓｅｎｓｅｐｏｉｎｔ  ＸＣＤ  Ｂｒｏｃｈｕｒｅ、［ｏｎｌｉｎｅ］、インターネット＜ＵＲＬ：http://www.honeywellanalytics.com/~/media/honeywell-analytics/products/sensepoint-xcd/documents/english/ds01082_sensepoint-xcd_brochure_flr_1-30-14.pdf?la=en＞
【発明の概要】
【発明が解決しようとする課題】
【０００６】
第２基板が安全な状態で設置作業を容易に行うことができる計測機器が望まれる。
【課題を解決するための手段】
【０００７】
本発明の第一の態様に係る計測機器は、
第１基板を収容する筐体と、前記筐体の開口部に挿入する第２基板と、を備える計測機器であって、
前記筐体と前記第２基板とは、前記第１基板と前記第２基板とが接続していない状態で、前記第２基板が前記筐体に対して移動可能に連結されており、
前記第２基板は、前記筐体に対して、前記筐体の開口面と平行な面上で移動可能であるとともに、前記筐体の前記開口部への挿入に伴い、コネクタにより前記第１基板に接続される。
また、本発明の第二の態様に係る計測機器は、
第１基板を収容する筐体と、前記筐体の開口部に挿入する第２基板と、前記筐体とねじ結合して前記筐体の前記開口部を塞ぐ蓋体と、を備える計測機器であって、
前記筐体と前記第２基板とは、前記第１基板と前記第２基板とが接続していない状態で、前記第２基板が前記筐体に対して移動可能に連結されており、
前記第２基板は、前記筐体の前記開口部への挿入に伴い、コネクタにより前記第１基板に接続される。
【０００８】
これらの構成によれば、第２基板が筐体に対して移動可能に連結しているため、第１基板とケーブルとの接続作業において、筐体と連結したまま作業の邪魔とならない位置に第２基板を移動させることで、その作業中に第２基板が邪魔になることなく作業ができ、また、第２基板をその作業中は安全に保管できる。また、そのときは第１基板と第２基板とは接続していない状態にあり、従来のように第２基板をケーブルでぶら下げた状態とすることによりケーブル（第１基板と第２基板との接続具）が傷んでしまう問題も生じない。そして、第１基板とケーブルとの接続作業終了後は、第２基板を筐体に対して移動させてコネクタにより第１基板に第２基板を接続すれば、容易に機器の設置作業を完了できる。このように、第２基板が安全な状態で設置作業を容易に行うことができる。
加えて、本発明の第一の態様によれば、筐体の開口面と平行な面上で第２基板が移動できるため、筐体の開口部への挿入のときの第２基板の位置合わせを容易に行うことができ、設置作業を一層容易に行うことができる。
また、本発明の第二の態様によれば、ねじ結合という簡素な構造で筐体と蓋体とを構成でき、機器の簡素化と省コスト化を図ることができる。
【０００９】
以下、本発明の計測機器の好適な態様について説明する。但し、以下に記載する好適な態様例によって、本発明の範囲が限定される訳ではない。
【００１２】
本発明の第一の態様において、１つの態様として、前記第２基板は、前記筐体との連結点を中心に回転自在であると好適である。
【００１３】
この構成によれば、ピンを介して第２基板がピンを中心に回転自在となるように筐体に連結させる等、一点で第２基板を筐体に連結させて回転自在とする簡易な構成とすることができる。
【００１４】
本発明の第一の態様において、１つの態様として、前記筐体とねじ結合して前記筐体の前記開口部を塞ぐ蓋体を備えると好適である。
【００１５】
この構成によれば、ねじ結合という簡素な構造で筐体と蓋体とを構成でき、機器の簡素化と省コスト化を図ることができる。
【図面の簡単な説明】
【００１６】
【図１】本発明に係る計測機器の斜視図
【図２】本発明に係る計測機器の分解斜視図
【図３】本発明に係る計測機器の断面図
【図４】本発明に係る計測機器の断面図
【図５】本発明に係る計測機器の断面図
【図６】本発明に係る計測機器の分解斜視図
【発明を実施するための形態】
【００１７】
本発明に係る計測機器について、図面を参照して説明する。本実施形態に係る計測機器１は、第１基板４を収容する筐体２と、筐体２の開口部２ａに挿入する第２基板５と、を備える。筐体２と第２基板５とは、第１基板４と第２基板４とが接続していない状態で、第２基板５が筐体２に対して移動可能な状態で連結されている。第２基板５は、筐体２の開口部２ａへの挿入に伴い、コネクタ５ｂにより第１基板４に接続される。これにより、第２基板が安全な状態で設置作業を容易に行うことができる。以下、本実施形態に係る計測機器１について、詳細に説明する。
【００１８】
図１に示すように、本実施形態に係る計測機器１は、工場などの建物の天井や壁面に設置されるものであり、外部は、それぞれ防爆性能を有する筐体２と蓋体３とからなり、防爆対策が施されたものとなっている。
【００１９】
図２に示すように、筐体２には、ケーブル穴２ｃから通した建物からの電源ケーブル（図示しない）と接続端子４ａにおいて接続可能な第１基板４を収容してある。また、筐体２において、筐体２と第２基板５とが、第１基板４と第２基板５とが接続していない状態で、第２基板５が筐体２に対して移動可能に連結されている。より詳しくは、筐体２には、開口部周縁における一点において、連結ピン６により第２基板５を連結してある。この第２基板５は、筐体２との連結点である連結ピン６を中心に回転自在であり、筐体２に対して、筐体２の開口面と平行な面上で移動可能である。また、筐体２の開口部２ａの内周面には、蓋体３を装着するための雄ネジ部２ｂを設けてある。
【００２０】
蓋体３は、正面中央に透明なガラス板部３ａを有し、筐体２への装着状態において、後述する第２基板５の表示部５ａがガラス板部３ａを介して視認できるようにしてある。蓋体３は、雄ネジ部３ｂを有し、この雌ネジ部３ｂが筐体２の雄ネジ部２ｂとねじ結合して筐体２の開口部２ａを塞ぐように構成してある。
【００２１】
第１基板４ａには、図示しない検知部と接続してあり、これにより、例えば検知部がガスセンサである場合には、計測機器１はガスの存在を検出したり、そのガスの量を計測可能となる。なお。検知部が検出・計測対象とするものはどのようなものであってもよい。
【００２２】
図２〜５に示すように、第２基板５は、筐体２との連結点である連結ピン６を中心に回転自在であるのに加え、筐体２の開口面と垂直な軸方向にも移動自在にしてある。これにより、第２基板５が筐体２の開口面と重なる位置に来たときに、第２基板５を軸方向において筐体２の内側へ移動させることにより、第２基板５を筐体２の開口部２ａに挿入することができる。
【００２３】
図２〜５に示すように、第１基板４と第２基板５には、それぞれコネクタ４ｂ，５ｂを設けてあり、このコネクタ４ｂ，５ｂにより第１基板４と第２基板５とが接続可能にしてある。このコネクタ４ｂ，５ｂは、第２基板５が筐体２の開口面と重なる位置に来たときに、筐体２の開口面から見て同一位置にくるように配置しており、これにより、第２基板５の筐体２の開口部２ａへの挿入に伴い、第２基板５が、コネクタ４ｂ，５ｂにより第１基板４に対し接続可能となっている。また、コネクタ４ｂ，５ｂを接続状態で固定するための接続ネジ５ｃを第２基板に設けてある。
【００２４】
次に、本実施形態に係る計測機器１を設置する場合の第２基板５と蓋体３の操作を説明する。まず、計測機器１を建物に設置する際、電源ケーブルを第１基板４に接続するため、図１の状態から、蓋体３を取り外すとともに、第２基板５を軸方向において筐体２の外側に移動させ、連結ピン６を中心に第２基板５を１８０度回転させて、図２の状態とする。
【００２５】
そして図２，３の状態で、電源ケーブルを第１基板４に接続して、この接続作業が完了したら、図２，３の状態から、再度連結ピン６を中心に第２基板５を１８０度回転させて、第２基板５が筐体２の開口面と重なる位置に移動させる（図４参照）。
【００２６】
その後、図５に示すように、第２基板５を軸方向において筐体２の内側へ移動させて、第２基板５を筐体２の開口部２ａに挿入し、これに伴い、第２基板５を、コネクタ４ｂ，５ｂにより第１基板４に接続させる。そして、接続ネジ５ｃによりコネクタ４ｂ，５ｂを接続状態で固定する。
【００２７】
最後に、図６に示すように、蓋体３を筐体２に対してねじ結合して計測機器１の設置作業を終了する。
【００２８】
このように、第１基板４とケーブルとの接続作業において、第２基板５が筐体２の開口面と重なる位置から、第２基板５が連結ピン６を中心に１８０度回転した位置に第２基板５を移動させることにより、その作業中に第２基板５が邪魔になることなく作業ができ、また、第２基板５もその作業中は安全に保管できる。
【００２９】
また、第１基板４と第２基板５との連結においては、筐体２の開口面と平行な面上で第２基板５が移動できるため、筐体２の開口部２ａへの挿入のときの第２基板５の位置合わせを容易に行うことができ、設置作業を容易に行うことができる。
【００３０】
そして、連結ピン６を介して第２基板が連結ピン６を中心に回転自在となるように筐体２に連結させる構成としたり、筐体２に対し蓋体３をねじ結合で装着する構成とすることにより、計測機器１の全体として簡易な構成としてある。
【００３１】
〔その他の実施形態〕
最後に、本発明に係る計測機器のその他の実施形態について説明する。なお、以下のそれぞれの実施形態で開示される構成は、矛盾が生じない限り、他の実施形態で開示される構成と組み合わせて適用することも可能である。
【００３２】
（１）上記の実施形態では、第２基板５と筐体２とを連結ピンにより連結し、第２基板５が筐体２の開口面と平行な面上で連結ピン６を中心に回転自在である構成を例として説明した。しかし、本発明の実施形態はこれに限定されない。例えば、第２基板５と筐体２とを第２基板５が筐体２の開口面と平行な面上で移動可能なスライド機構を備えた連結具により連結してもよく、または、第２基板５と筐体２とをヒンジにより連結し、第２基板５が筐体２の開口面と平行な軸を中心に回転自在な構成としても良い。
【００３３】
（２）上記の実施形態では、筐体２に対し蓋体３をねじ結合する構成を例に説明した。しかし、本発明の実施形態はこれに限定されない。例えば、筐体２と蓋体３とをボルトで連結するなど、他の結合手段を用いてもよい。
【００３４】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３５】
本発明は、例えば工場などの建物に用いられる計測機器に利用することができる。
【符号の説明】
【００３６】
１            計測機器
２            筐体
２ａ          開口部
３            蓋体
４            第１基板
４ｂ，５ｂ    コネクタ
５            第２基板
６            連結ピン（連結点）
【図１】
0006501559.tif 000002
【図２】
0006501559.tif 000003
【図３】
0006501559.tif 000004
【図４】
0006501559.tif 000005
【図５】
0006501559.tif 000006
【図６】
0006501559.tif 000007